(57)【要約】【課題】企業ユーザが要求する帯域をオンデマンドで提供し、企業ユーザが使用するアプリケーション単位に帯域を割当てることが可能な帯域オンデマンドサービスシステムを提供する。【解決手段】帯域オンデマンドアクセス装置２１はＬＡＮ２２からパス設定要求が送信されてくると、帯域オンデマンドサーバ１２にパス設定要求を送信する。帯域オンデマンドサーバ１２は帯域やパスの確保を行い、ＭＰＬＳネットワーク１１にパス設定要求を送信し、ＭＰＬＳネットワーク１１はパス設定が完了するとパス設定応答を送信する。帯域オンデマンドサーバ１２はＭＰＬＳネットワーク１１のパス設定が完了した後に、帯域オンデマンドアクセス装置２１にパス設定応答を送信し、帯域オンデマンドアクセス装置２１はＬＡＮ２２にパス設定応答を送信することで、パスの設定が完了する。【選択図】      図１
2004215119.tif 000002
【特許請求の範囲】
【請求項１】
企業ネットワークの離れた拠点間を通信事業者ネットワークで相互接続する帯域オンデマンドサービスシステムであって、
前記通信事業者ネットワークに配備されかつ前記通信事業者ネットワークの帯域の管理と前記通信事業者ネットワークのパスの計算及び設定とを行う帯域オンデマンドサーバと、
前記企業ネットワークの各拠点に配備されかつアプリケーションの種類を識別することで前記帯域オンデマンドサーバに対して前記帯域の要求を動的に行う帯域オンデマンドアクセス装置とを有することを特徴とする帯域オンデマンドサービスシステム。
【請求項２】
前記帯域オンデマンドアクセス装置は、前記アプリケーションで使用する帯域を前記通信事業者ネットワークにおいて契約した帯域の範囲内で動的及び静的に割当てることを特徴とする請求項１記載の帯域オンデマンドサービスシステム。
【請求項３】
前記帯域オンデマンドアクセス装置は、前記企業ネットワークのＬＡＮ（Ｌｏｃａｌ  Ａｒｅａ  Ｎｅｔｗｏｒｋ）と前記通信事業者ネットワークとの間に配備され、前記ＬＡＮと前記通信事業者ネットワークとを接続することを特徴とする請求項１または請求項２記載の帯域オンデマンドサービスシステム。
【請求項４】
前記通信事業者ネットワークは、ＭＰＬＳ（Ｍｕｌｔｉ−Ｐｒｏｔｏｃｏｌ  Ｌａｂｅｌ  Ｓｗｉｔｃｈｉｎｇ）ネットワークであることを特徴とする請求項１から請求項３のいずれか記載の帯域オンデマンドサービスシステム。
【請求項５】
前記ＭＰＬＳネットワークのパスを階層化し、その階層化されたパスを前記アプリケーションで使用する帯域に動的及び静的に割当てることを特徴とする請求項４記載の帯域オンデマンドサービスシステム。
【請求項６】
企業ネットワークの離れた拠点間を通信事業者ネットワークで相互接続する帯域オンデマンドサービス方法であって、前記通信事業者ネットワークの帯域の管理と前記通信事業者ネットワークのパスの計算及び設定とを行う帯域オンデマンドサーバを前記通信事業者ネットワークに配備し、アプリケーションの種類を識別することで前記帯域オンデマンドサーバに対して前記帯域の要求を動的に行う帯域オンデマンドアクセス装置を前記企業ネットワークの各拠点に配備したことを特徴とする帯域オンデマンドサービス方法。
【請求項７】
前記帯域オンデマンドアクセス装置が前記アプリケーションで使用する帯域を前記通信事業者ネットワークにおいて契約した帯域の範囲内で動的及び静的に割当てることを特徴とする請求項６記載の帯域オンデマンドサービス方法。
【請求項８】
前記帯域オンデマンドアクセス装置を前記企業ネットワークのＬＡＮ（Ｌｏｃａｌ  Ａｒｅａ  Ｎｅｔｗｏｒｋ）と前記通信事業者ネットワークとの間に配備し、前記ＬＡＮと前記通信事業者ネットワークとを接続することを特徴とする請求項６または請求項７記載の帯域オンデマンドサービス方法。
【請求項９】
前記通信事業者ネットワークがＭＰＬＳ（Ｍｕｌｔｉ−Ｐｒｏｔｏｃｏｌ  Ｌａｂｅｌ  Ｓｗｉｔｃｈｉｎｇ）ネットワークであることを特徴とする請求項６から請求項８のいずれか記載の帯域オンデマンドサービス方法。
【請求項１０】
前記ＭＰＬＳネットワークのパスを階層化し、その階層化されたパスを前記アプリケーションで使用する帯域に動的及び静的に割当てることを特徴とする請求項９記載の帯域オンデマンドサービス方法。
【発明の詳細な説明】
【０００１】
【発明の属する技術分野】
本発明は帯域オンデマンドサービスシステム及びそれに用いる帯域オンデマンドサービス方法に関し、特にＬＡＮ（Ｌｏｃａｌ  Ａｒｅａ  Ｎｅｔｗｏｒｋ）を通信事業者が提供する広域Ｅｔｈｅｒｎｅｔ（Ｒ）サービスで接続する帯域オンデマンドサービスシステムに関する。
【０００２】
【従来の技術】
近年、企業の各拠点間のネットワークを通信事業者が提供する広域Ｅｔｈｅｒｎｅｔ（Ｒ）サービスで接続するケースが増えてきているが、現状では企業ネットワーク間をベストエフォートで接続しているため、企業ユーザの要求に応じて動的に帯域を変更するというサービスはまだ実現されていない。
【０００３】
上記の企業の各拠点間のネットワークを接続するサービスとしては、企業のネットワーク等をＩＰ（Ｉｎｔｅｒｎｅｔ  Ｐｒｏｔｏｃｏｌ）網上の仮想的な専用線で接続するＶＰＮ（Ｖｉｒｔｕａｌ  Ｐｒｉｖａｔｅ  Ｎｅｔｗｏｒｋ）が注目されている。
【０００４】
特に、ＭＰＬＳ（Ｍｕｌｔｉ−Ｐｒｏｔｏｃｏｌ  Ｌａｂｅｌ  Ｓｗｉｔｃｈｉｎｇ）を用いたＭＰＬＳ−ＶＰＮは企業ユーザのデータのプライバシを確保し、プライベートアドレスをサポートするＶＰＮソリューションを容易に提供することができる（例えば、特許文献１参照）。
【０００５】
【特許文献１】
特開２００２−１１１７２５号公報（第３頁、図６）
【０００６】
【発明が解決しようとする課題】
上述した従来の企業の各拠点間のネットワークを接続するサービスでは、企業ユーザの要求に応じて動的に帯域を変更するというサービスがまだ実現されていないが、このような企業ユーザの要求に対応する帯域オンデマンドサービスを提供するためには、企業ネットワークで使用するＬＡＮをシームレスに接続し、時間単位かつアプリケーション単位に動的に企業ネットワーク間の帯域を変更する仕組みが必要となる。
【０００７】
そこで、本発明の目的は上記の問題点を解消し、企業ユーザが要求する帯域をオンデマンドで提供することができ、企業ユーザが使用するアプリケーション単位に帯域を割当てることができる帯域オンデマンドサービスシステム及びそれに用いる帯域オンデマンドサービス方法を提供することにある。
【０００８】
【課題を解決するための手段】
本発明による帯域オンデマンドサービスシステムは、企業ネットワークの離れた拠点間を通信事業者ネットワークで相互接続する帯域オンデマンドサービスシステムであって、
前記通信事業者ネットワークに配備されかつ前記通信事業者ネットワークの帯域の管理と前記通信事業者ネットワークのパスの計算及び設定とを行う帯域オンデマンドサーバと、
前記企業ネットワークの各拠点に配備されかつアプリケーションの種類を識別することで前記帯域オンデマンドサーバに対して前記帯域の要求を動的に行う帯域オンデマンドアクセス装置とを備えている。
【０００９】
本発明による帯域オンデマンドサービス方法は、企業ネットワークの離れた拠点間を通信事業者ネットワークで相互接続する帯域オンデマンドサービス方法であって、前記通信事業者ネットワークの帯域の管理と前記通信事業者ネットワークのパスの計算及び設定とを行う帯域オンデマンドサーバを前記通信事業者ネットワークに配備し、アプリケーションの種類を識別することで前記帯域オンデマンドサーバに対して前記帯域の要求を動的に行う帯域オンデマンドアクセス装置を前記企業ネットワークの各拠点に配備している。
【００１０】
すなわち、本発明の帯域オンデマンドサービスシステムは、Ｅｔｈｅｒｎｅｔ（Ｒ）等で構成される企業ネットワークの離れた拠点間を通信事業者のＭＰＬＳ（Ｍｕｌｔｉ−Ｐｒｏｔｏｃｏｌ  Ｌａｂｅｌ  Ｓｗｉｔｃｈｉｎｇ）ネットワークで相互接続し、帯域の管理やパスの計算及び設定を行う帯域オンデマンドサーバを通信事業者ネットワークに配備し、アプリケーションの種類を識別することによって帯域オンデマンドサーバに対して帯域の要求を動的に行う帯域オンデマンドアクセス装置を企業ネットワークの各拠点に配備している。
【００１１】
上記のように、本発明の帯域オンデマンドサービスシステムでは、帯域オンデマンドサーバと帯域オンデマンドアクセス装置との組合せによって、企業ユーザが使用するアプリケーションで要求される帯域を動的に即時に割当てる通信事業者が企業に対して帯域オンデマンドサービスを提供することが可能となる。
【００１２】
したがって、本発明の帯域オンデマンドサービスシステムでは、Ｅｔｈｅｒｎｅｔ（Ｒ）等で構成される複数の企業ネットワークを接続する通信事業者のサービスにおいて、企業ネットワーク上の帯域オンデマンドアクセス装置と通信事業者ネットワーク上の帯域オンデマンドサーバとを使用することによって、企業ユーザが要求する帯域をオンデマンドで提供し、企業ユーザが使用するアプリケーション単位に帯域を割当てることが可能となる。
【００１３】
具体的に説明すると、本発明の帯域オンデマンドサービスシステムでは、企業ユーザからの要求によって企業ネットワーク間の帯域を即時に変更し、アプリケーションで使用する帯域を契約した帯域の範囲内で動的または静的に割当てることが可能となる。
【００１４】
これによって、本発明の帯域オンデマンドサービスシステムでは、企業ネットワーク間で契約した帯域を変更する時に、サービス開始時間を大幅に短縮することが可能となり、企業のポリシーに合わせてアプリケーションに適した帯域を即時に提供することが可能になるとともに、ネットワーク効率の良いサービスを提供することが可能となる。
【００１５】
また、企業ではＬＡＮ（Ｌｏｃａｌ  Ａｒｅａ  Ｎｅｔｗｏｒｋ）を構成する機器類を変更することなく、帯域オンデマンドアクセス装置を企業ネットワークと通信事業者ネットワークとの間に配備するだけで、通信事業者の帯域オンデマンドサービスを享受することが可能となる。
【００１６】
【発明の実施の形態】
次に、本発明の実施例について図面を参照して説明する。図１は本発明の一実施例による帯域オンデマンドサービスシステムの構成を示すブロック図である。図１において、本発明の一実施例による帯域オンデマンドサービスシステムでは複数の企業ネットワーク２〜５を通信事業者ネットワーク１で接続して構成されている。
【００１７】
また、企業ネットワーク２，３と企業ネットワーク４，５とがそれぞれ別企業のネットワークとした場合、通信事業者ネットワーク１を構成するＭＰＬＳ（Ｍｕｌｔｉ−Ｐｒｏｔｏｃｏｌ  Ｌａｂｅｌ  Ｓｗｉｔｃｈｉｎｇ）ネットワーク１１においてＶＰＮ（Ｖｉｒｔｕａｌ  Ｐｒｉｖａｔｅ  Ｎｅｔｗｏｒｋ）を導入すれば、両企業間の通信を遮断することが可能である。
【００１８】
企業ネットワーク２，３はＬＡＮ（Ｌｏｃａｌ  Ａｒｅａ  Ｎｅｔｗｏｒｋ）２２，３２と、帯域オンデマンドアクセス装置２１，３１で構成されている。尚、図示していないが、企業ネットワーク４，５の構成は企業ネットワーク２，３の構成と同様である。
【００１９】
ＬＡＮ２２，３２は企業内のネットワークを指しており、図示していないが、各種サーバやクライアント等のワークステーションやＰＣ（Ｐｅｒｓｏｎａｌ  Ｃｏｍｐｕｔｅｒ）、ハブやルータ等のネットワーク機器で構成されている。
【００２０】
帯域オンデマンドアクセス装置２１，３１は企業ネットワーク２〜５と通信事業者ネットワーク１とを接続する装置であり、インタフェース機能、パス設定機能、アプリケーション識別機能、ポリシング機能の四つの機能を有している。
【００２１】
インタフェース機能は通信事業者ネットワーク１の帯域オンデマンドサーバ１２とのインタフェース機能であり、企業ユーザからの要求に応じて帯域オンデマンドサーバ１２とパス設定要求、パス解除要求、パス設定応答、パス解除応答の送受信を行う。
【００２２】
パス設定機能は帯域オンデマンドアクセス装置２１，３１内部のパス設定機能であり、帯域オンデマンドサーバ１１からの要求によって企業ネットワーク２〜５のＬＡＮ２２，３２と通信事業者ネットワーク１とのパスの設定及び解除を行う。
【００２３】
アプリケーション識別機能はＬＡＮ２２，３２から受信するパケットのヘッダ情報を基に、アプリケーションの種類や通信状態を識別する機能である。例えば、アプリケーションの種類については、ＴＣＰ（Ｔｒａｎｓｍｉｓｓｉｏｎ  Ｃｏｎｔｒｏｌ  Ｐｒｏｔｏｃｏｌ）／ＵＤＰ（Ｕｓｅｒ  Ｄａｔａｇｒａｍ  Ｐｒｏｔｏｃｏｌ）ヘッダのポート番号で識別することができる。また、通信状態は通信開始や通信終了のことを示しており、例えば、通信開始要求はＴＣＰのＳＹＮ（Ｓｙｎｃｈｒｏｎｉｚｅ）フラグ、通信終了要求はＴＣＰのＦＩＮ（Ｆｉｎ）フラグやＲＳＴ（Ｒｅｓｅｔ）フラグで識別することができる。
【００２４】
ポリシング機能はＬＡＮ２２，３２から受信するパケットの帯域を監視し、違反するパケットについて装置内で廃棄し、事業者ネットワークに送信しないようにする機能である。
【００２５】
通信事業者ネットワーク１はＭＰＬＳネットワーク１１と帯域オンデマンドサーバ１２とから構成されている。ＭＰＬＳネットワーク１１はＭＰＬＳによってＩＰ（Ｉｎｔｅｒｎｅｔ  Ｐｒｏｔｏｃｏｌ）ネットワークに明示されたルートを指定することが可能なネットワークであり、帯域割当てを行うことによってトラフィックを制御することができる。
【００２６】
帯域オンデマンドサーバ１２はＭＰＬＳネットワーク１１の帯域やパスを管理し、帯域オンデマンドアクセス装置２１，３１からの要求によって企業ネットワーク２〜５間で契約した帯域を変更したり、アプリケーション単位に動的または静的にパスの割当てを行ったりする。帯域オンデマンドサーバ１２は通信事業者ネットワーク１における接続位置が問題ではなく、帯域オンデマンドアクセス装置２１，３１とアクセスすることができればよい。
【００２７】
図２は本発明の一実施例による帯域オンデマンドサービスの論理イメージを示す図である。図２において、本実施例では、企業ネットワーク２，３間を接続するために、企業が通信事業者と契約したパスを契約パスと定義する。この契約パスは帯域や接続先ネットワーク等で識別され、企業ユーザからの要求によって時間、日、月等の時間単位に変更することが可能である。ここでは、通信事業者ネットワーク１は企業ネットワーク２と企業ネットワーク３との２つのネットワークを接続しているが、３つ以上の企業ネットワークを接続することも当然可能である。
【００２８】
また、本実施例では、契約パスの範囲内でアプリケーション＃１〜＃３単位に帯域及び宛先等で識別される動的パスと静的パスとを定義する。動的パスはアプリケーション＃１，＃２の起動とともに割当てられ、終了とともに開放されるパスであり、アプリケーション＃１，＃２単位に帯域や宛先等を変更することができる。静的パスはアプリケーション＃３の起動に関係なく、事前に割当てておくパスであり、その静的パスに複数のアプリケーションを割当てることができる。
【００２９】
動的パスは１つのアプリケーション＃１，＃２で、ＭＰＬＳのパスである１つのＬＳＰ（Ｌａｂｅｌ  Ｓｗｉｔｃｈｅｄ  Ｐａｔｈ）を占有するので、パス単位に優先制御を行いたい場合に有効である。また、動的パスはアプリケーション＃１，＃２を実行している時だけ、ＬＳＰが存在するので、帯域を効率的に利用することができる。
【００３０】
一方、静的パスは複数のアプリケーションで１つのＬＳＰを占有することもあるので、ベストエフォート等の優先制御を行う必要がない場合に有効である。契約パス、動的パス、静的パスをＭＰＬＳのパスであるＬＳＰとして、ラベルの階層化によってＬＳＰの多重化を行い（本実施例では２階層）、契約パスの中に複数の動的パスと静的パスとを割当てる。
【００３１】
本実施例では上記の方法によって、通信事業者が契約パスを定量課金で企業に貸し出し、企業でその契約パスの範囲で動的パスと静的パスとを自由に使い分けることができる。
【００３２】
図３は本発明の一実施例による企業ネットワーク２，３間の契約パスの設定方法を示すシーケンスチャートである。これら図１〜図３を参照して、本発明の一実施例による企業ネットワーク２，３間の契約パスの設定方法について説明する。以下の説明では、企業ネットワーク２に属する企業ネットワークの管理者が企業ネットワーク２から通信事業者ネットワーク１の帯域オンデマンドサーバ１２に対して契約パスの設定を要求する例について述べる。
【００３３】
具体的な要求としては、契約パスの契約開始、サービス内容の変更（帯域や接続先ネットワークの変更）、契約解除等が挙げられる。まず、企業ネットワーク２のＬＡＮ２２から帯域オンデマンドアクセス装置２１に対して契約パス設定要求が送信される（図３のａ１）。契約パス設定要求には企業ネットワーク２，３間の帯域や接続先ネットワーク等の情報が含まれる。その要求を受信した帯域オンデマンドアクセス装置２１は事業者ネットワーク１の帯域オンデマンドサーバ１２に契約パス設定要求を送信する（図３のａ２）。
【００３４】
帯域オンデマンドサーバ１２では要求される企業ネットワーク２，３間の帯域や接続先ネットワークとの接続を実現することができるかを判断し（図３のａ３）、サービスを実現することができない場合、契約パス設定拒否を帯域オンデマンドアクセス装置２１に送信するので（図３のａ４）、帯域オンデマンドアクセス装置２１からＬＡＮ２２に契約パス設定拒否が送信される（図３のａ５）。
【００３５】
一方、帯域オンデマンドサーバ１２はサービスを実現することができる場合、帯域やパスの確保を行い（図３のａ６）、通信事業者ネットワーク１のＭＰＬＳネットワーク１１にパス設定要求を送信する（図３のａ７）。ＭＰＬＳネットワーク１１はパス設定が完了したら（図３のａ８）、帯域オンデマンドサーバ１２にパス設定応答を送信する（図３のａ９）。
【００３６】
帯域オンデマンドサーバ１２はＭＰＬＳネットワーク１１のパス設定が完了した後に、帯域オンデマンドアクセス装置２１に契約パス設定応答を送信し（図３のａ１０）、帯域オンデマンドアクセス装置２１はＬＡＮ２２に契約パス設定応答を送信することで（図３のａ１１）、契約パスの設定が完了する。
【００３７】
図４は本発明の一実施例による企業ネットワーク２，３間の静的パスの設定方法を示すシーケンスチャートである。これら図１と図２と図４とを参照して、本発明の一実施例による企業ネットワーク２，３間の静的パスの設定方法について説明する。以下の説明では、企業ネットワーク２に属する企業ネットワークの管理者が企業ネットワーク２と企業ネットワーク３との間で企業ユーザにアプリケーションを実行させるために、通信事業者ネットワーク１の帯域オンデマンドサーバ１２に対して静的パスの設定を要求する例について述べる。
【００３８】
静的パスは契約パスとして契約した帯域内で、かつ契約パスの接続先ネットワークの範囲内で割当てられる。まず、企業ネットワーク２のＬＡＮ２２から帯域オンデマンドアクセス装置２１に対して静的パス設定要求が送信される（図４のｂ１）。静的パス設定要求にはアプリケーションの種類、必要帯域、宛先等の情報を含む。１つの静的パスに複数のアプリケーションを割当てることを可能とするため、アプリケーションの種類は複数で構わない。
【００３９】
帯域オンデマンドアクセス装置２１はその要求を受信すると、その要求が企業ポリシーに合致しているかどうかを判断し（図４のｂ２）、合致していなければ、静的パス設定拒否をＬＡＮ２２に送信する（図４のｂ３）。帯域オンデマンドアクセス装置２１は合致していると判断すると、事業者ネットワーク１の帯域オンデマンドサーバ１２に静的パス設定要求を送信する（図４のｂ４）。
【００４０】
帯域オンデマンドサーバ１２は帯域やパスの確保を行い（図４のｂ５）、通信事業者ネットワーク１のＭＰＬＳネットワーク１１と企業ネットワーク３の帯域オンデマンドアクセス装置３１とにそれぞれパス設定要求を送信する（図４のｂ６，ｂ７）。ＭＰＬＳネットワーク１１及び帯域オンデマンドアクセス装置３１はパス設定が完了したら（図４のｂ８，ｂ９）、帯域オンデマンドサーバ１２にそれぞれパス設定応答を送信する（図４のｂ１０，ｂ１１）。
【００４１】
帯域オンデマンドサーバ１２はＭＰＬＳネットワーク１１及び帯域オンデマンドアクセス装置３１のパス設定が完了した後に、帯域オンデマンドアクセス装置２１に静的パス設定応答を送信し（図４のｂ１２）、帯域オンデマンドアクセス装置２１は自装置内のパス設定を行った後に（図４のｂ１３）、ＬＡＮ２２に静的パス設定応答を送信するので（図４のｂ１４）、静的パスの設定が完了する。静的パスの設定後、該当するアプリケーションのデータ通信が可能となる（図４のｂ１５）。
【００４２】
図５は本発明の一実施例によるに企業ネットワーク２，３間の静的パスの解除方法を示すシーケンスチャートである。これら図１と図２と図５とを参照して、本発明の一実施例による企業ネットワーク２，３間の静的パスの解除方法について説明する。以下の説明では、企業ネットワーク２に属する企業ネットワークの管理者が企業ネットワーク２と企業ネットワーク３との間で企業ユーザにアプリケーションを終了させるために、通信事業者ネットワーク１の帯域オンデマンドサーバ１２に対して静的パスの解除を要求する例について説明する。
【００４３】
まず、企業ネットワーク２のＬＡＮ２２から帯域オンデマンドアクセス装置２１に対して静的パス解除要求が送信される（図５のｃ１，ｃ２）。静的パス解除要求にはアプリケーションの種類、宛先等の情報を含む。１つの静的パスに複数のアプリケーションを割当てることを可能とするため、アプリケーションの種類は複数で構わない。
【００４４】
帯域オンデマンドアクセス装置２１はその要求を受信すると、事業者ネットワーク１の帯域オンデマンドサーバ１２に静的パス解除要求を送信する（図５のｃ３）。帯域オンデマンドサーバ１２では帯域やパスの開放を行い（図５のｃ４）、通信事業者ネットワーク１のＭＰＬＳネットワーク１１と企業ネットワーク３の帯域オンデマンドアクセス装置３１とにそれぞれパス解除要求を送信する（図５のｃ５，ｃ６）。
【００４５】
ＭＰＬＳネットワーク１１及び帯域オンデマンドアクセス装置３１はパス解除が完了すると（図５のｃ７，ｃ８）、帯域オンデマンドサーバ１２にそれぞれパス解除応答を送信する（図５のｃ９，ｃ１０）。
【００４６】
帯域オンデマンドサーバ１２はＭＰＬＳネットワーク１１及び帯域オンデマンドアクセス装置３１のパス解除が完了した後、帯域オンデマンドアクセス装置２１に静的パス解除応答を送信する（図５のｃ１１）。帯域オンデマンドアクセス装置２１は自装置内のパス解除を行った後（図５のｃ１２）、ＬＡＮ２２に静的パス解除応答を送信するので（図５のｃ１３）、静的パスの解除が完了する。静的パスの解除後は該当するアプリケーションのデータ通信ができなくなる。
【００４７】
図６は本発明の一実施例による企業ネットワーク２，３間の動的パスの設定方法を示すシーケンスチャートである。これら図１と図２と図６とを参照して本発明の一実施例による企業ネットワーク２，３間の動的パスの設定方法について説明する。以下の説明では、企業ネットワーク２に属する企業ユーザが企業ネットワーク２と企業ネットワーク３との間のアプリケーションを実行させるために、帯域オンデマンドアクセス装置２１が通信事業者ネットワーク１の帯域オンデマンドサーバ１２に対して動的パスの設定を要求する例について述べる。
【００４８】
契約パス及び静的パスについては企業ネットワーク２，３の管理者が設定及び解除を行うものであるが、動的パスについては企業ユーザが動的パスの設定及び解除を意識することなく、企業ユーザの要求に応じて帯域オンデマンドアクセス装置２１，３１が動的パスの設定及び解除を自動で行う。そのためには帯域オンデマンドアクセス装置２１，３１がアプリケーションの識別を行う必要があるので、動的パスを設定したいアプリケーションの種類、必要帯域、宛先等を事前に装置内に登録しておく必要がある。
【００４９】
本実施例では１つの動的パスに１つのアプリケーションを割当てるため、アプリケーションの種類は１つとなる。また、動的パスに割当てられないアプリケーションは静的パスに割当てられることになる。動的パスは契約パスとして契約した帯域内で、かつ契約パスの接続先ネットワークの範囲内で割当てられる。
【００５０】
まず、企業ネットワーク２のＬＡＮ２２から帯域オンデマンドアクセス装置２１に対して通信開始要求が送信される（図６のｄ１）。通信開始要求としては、アプリケーションの種類、宛先、通信開始等を示す情報が含まれるものとする。通信開始要求の例としては、ＴＣＰのＳＹＮフラグが挙げられる。
【００５１】
帯域オンデマンドアクセス装置２１はその要求を受信すると、そのアプリケーションを動的パスに割当ててよいかを判断し（図６のｄ２）、割当てなければ、静的パスを用いて通信開始要求をＭＰＬＳネットワーク１１に送信してＬＡＮ３２に通信開始要求が送信され（図６のｄ１３）、ＬＡＮ２２とＬＡＮ３２との間で静的パスでのアプリケーションのデータ通信が可能となる（図６のｄ１４）。
【００５２】
帯域オンデマンドアクセス装置２１は動的パスに割当てると判断すると、事業者ネットワーク１の帯域オンデマンドサーバ１２に動的パス設定要求を送信する（図６のｄ３）。帯域オンデマンドサーバ１２では帯域やパスの確保を行い（図６のｄ４）、通信事業者ネットワーク１のＭＰＬＳネットワーク１１及び企業ネットワーク３の帯域オンデマンドアクセス装置３１にパス設定要求を送信する（図６のｄ５，ｄ６）。
【００５３】
ＭＰＬＳネットワーク１１及び帯域オンデマンドアクセス装置３１はパス設定が完了したら（図６のｄ７，ｄ８）、帯域オンデマンドサーバ１２にそれぞれパス設定応答を送信する（図６のｄ９，ｄ１０）。
【００５４】
帯域オンデマンドサーバ１２はＭＰＬＳネットワーク１１及び帯域オンデマンドアクセス装置３１のパス設定が完了した後に、帯域オンデマンドアクセス装置２１に動的パス設定応答を送信するので（図６のｄ１１）、帯域オンデマンドアクセス装置２１は自装置内のパス設定を行い（図６のｄ１２）、その後に、動的パスを用いて最初にＬＡＮ２２から受信した通信開始要求をＭＰＬＳネットワーク１１に送信するので、ＬＡＮ３２に通信開始要求が送信され（図６のｄ１３）、ＬＡＮ２２とＬＡＮ３２との間で該当するアプリケーションの動的パスでのデータ通信が可能となる（図６のｄ１４）。
【００５５】
図７は本発明の一実施例による企業ネットワーク２，３間の動的パスの解除方法を示すシーケンスチャートである。これら図１と図２と図７とを参照して本発明の一実施例による企業ネットワーク２，３間の動的パスの解除方法について説明する。以下の説明では、企業ネットワーク２に属する企業ユーザが企業ネットワーク２と企業ネットワーク３との間のアプリケーションを終了させるために、帯域オンデマンドアクセス装置２１が通信事業者ネットワーク１の帯域オンデマンドサーバ１２に対して動的パスの解除を要求する例について述べる。
【００５６】
まず、企業ネットワーク２のＬＡＮ２２から帯域オンデマンドアクセス装置２１に対して通信終了要求が送信される（図７のｅ１，ｅ２）。通信終了要求としては、アプリケーションの種類、宛先、通信終了等を示す情報が含まれるものとする。１つの動的パスに１つのアプリケーションを割当てるため、アプリケーションの種類は１つとなる。通信終了要求の例としては、ＴＣＰのＦＩＮフラグが挙げられる。
【００５７】
帯域オンデマンドアクセス装置２１はその要求を受信すると、動的パスを用いて通信終了要求をＭＰＬＳネットワーク１１に送信してＬＡＮ３２に通信終了要求を送信する（図７のｅ３）。帯域オンデマンドアクセス装置２１はそのアプリケーションが動的パスに割当てられているかを判断し（図７のｅ４）、割当てられていない場合に処理終了となる。
【００５８】
帯域オンデマンドアクセス装置２１は動的パスに割当てられていると判断すると、事業者ネットワーク１の帯域オンデマンドサーバ１２に動的パス解除要求を送信する（図７のｅ５）。帯域オンデマンドサーバ１２では帯域やパスの開放を行い（図７のｅ６）、通信事業者ネットワーク１のＭＰＬＳネットワーク１１及び企業ネットワーク３の帯域オンデマンドアクセス装置３１にそれぞれパス解除要求を送信する（図７のｅ７，ｅ８）。
【００５９】
ＭＰＬＳネットワーク１１及び帯域オンデマンドアクセス装置３１はパス解除が完了したら（図７のｅ９，ｅ１０）、帯域オンデマンドサーバ１２にそれぞれパス解除応答を送信する（図７のｅ１１，ｅ１２）。
【００６０】
帯域オンデマンドサーバ１２はＭＰＬＳネットワーク１１及び帯域オンデマンドアクセス装置３１のパス解除が完了した後に、帯域オンデマンドアクセス装置２１に動的パス解除応答を送信し（図７のｅ１３）、帯域オンデマンドアクセス装置２１は自装置内のパス解除を行う（図７のｅ１４）。もし新たにアプリケーションの種類と宛先とが同じである通信開始要求を受信すれば、図６に示すように、動的パスを割当てることになる。
【００６１】
このように、実施例では、Ｅｔｈｅｒｎｅｔ（Ｒ）等で構成される複数の企業ネットワーク２〜５を接続する通信事業者のサービスにおいて、企業ネットワーク２〜５上の帯域オンデマンドアクセス装置２１，３１と通信事業者ネットワーク１上の帯域オンデマンドサーバ１２とを使用することによって、企業ユーザが要求する帯域をオンデマンドで提供することができ、企業ユーザが使用するアプリケーション単位に帯域を割当てることができる。
【００６２】
具体的に説明すると、本実施例では、企業ユーザからの要求によって企業ネットワーク２〜５間の帯域を即時に変更し、アプリケーションで使用する帯域を契約した帯域の範囲内で動的または静的に割当てることができる。これによって、本実施例では、企業ネットワーク２〜５間で契約した帯域を変更する時にサービス開始時間を大幅に短縮することができ、企業のポリシーに合わせてアプリケーションに適した帯域を即時に提供することができ、ネットワーク効率の良いサービスを提供することができる。
【００６３】
また、企業ではＬＡＮ２２，３２を構成する機器類を変更することなく、帯域オンデマンドアクセス装置２１，３１を企業ネットワーク２〜５と通信事業者ネットワーク１との間に配備するだけで、通信事業者の帯域オンデマンドサービスを享受することができる。
【００６４】
本実施例ではＬＳＰを２階層としているが、さらに階層を増やして細かくアプリケーションを分類することが可能である。また、ＥｏＭＰＬＳ［Ｅｔｈｅｒｎｅｔ（Ｒ）  ｏｖｅｒ  ＭＰＬＳ］やＶＰＮの場合、ＭＰＬＳのラベルがさらに１枚増えるが、その場合でも容易に対応することができる。さらに、帯域オンデマンドアクセス装置２１，３１にファイアウォールの機能を追加させることも可能である。
【００６５】
本実施例では、通信事業者ネットワーク１をＭＰＬＳネットワーク１１で構成しているが、ＧＭＰＬＳ（Ｇｅｎｅｒａｌｉｚｅｄ  Ｍｕｔｉ−Ｐｒｏｔｏｃｏｌ  Ｌａｂｅｌ  Ｓｗｉｔｃｈｉｎｇ）ネットワークで構成することもできる。ＭＰＬＳネットワーク１１の場合には、ＭＰＬＳのラベルの階層化によるＬＳＰの多重化で契約パス、動的パス、静的パスを実現しているが、ＧＭＰＬＳネットワークの場合には波長パスと階層化されたＬＳＰとの組合せで契約パス、動的パス、静的パスを実現することができる。
【００６６】
図８は本発明の他の実施例による帯域オンデマンドサービスの論理イメージを示す図である。図８において、本実施例では、契約パスをなくし、動的パスと静的パスとで企業ネットワーク２〜５を接続している。この場合、ＭＰＬＳのラベルの階層化によるＬＳＰの多重化は不要で、論理的にシンプルな構成となる。
【００６７】
この方法によって、本実施例では、通信事業者が動的パスと静的パスとをそれぞれ別々に企業に貸し出すことによって、従量課金や定量課金を組合せてサービスすることができる。
【００６８】
【発明の効果】
以上説明したように本発明は、企業ネットワークの離れた拠点間を通信事業者ネットワークで相互接続する帯域オンデマンドサービスシステムにおいて、通信事業者ネットワークの帯域の管理と通信事業者ネットワークのパスの計算及び設定とを行う帯域オンデマンドサーバを通信事業者ネットワークに配備し、アプリケーションの種類を識別することで帯域オンデマンドサーバに対して帯域の要求を動的に行う帯域オンデマンドアクセス装置を企業ネットワークの各拠点に配備することによって、企業ユーザが要求する帯域をオンデマンドで提供することができ、企業ユーザが使用するアプリケーション単位に帯域を割当てることができるという効果が得られる。
【図面の簡単な説明】
【図１】本発明の一実施例による帯域オンデマンドサービスシステムの構成を示すブロック図である。
【図２】本発明の一実施例による帯域オンデマンドサービスの論理イメージを示す図である。
【図３】本発明の一実施例による企業ネットワーク間の契約パスの設定方法を示すシーケンスチャートである。
【図４】本発明の一実施例による企業ネットワーク間の静的パスの設定方法を示すシーケンスチャートである。
【図５】本発明の一実施例によるに企業ネットワーク間の静的パスの解除方法を示すシーケンスチャートである。
【図６】本発明の一実施例による企業ネットワーク間の動的パスの設定方法を示すシーケンスチャートである。
【図７】本発明の一実施例による企業ネットワーク間の動的パスの解除方法を示すシーケンスチャートである。
【図８】本発明の他の実施例による帯域オンデマンドサービスの論理イメージを示す図である。
【符号の説明】
１  通信事業者ネットワーク
２〜５  企業ネットワーク
１１  ＭＰＬＳネットワーク
１２  帯域オンデマンドサーバ
２１，３１  帯域オンデマンドアクセス装置
２２，３２  ＬＡＮ
【図１】
2004215119.tif 000003
【図２】
2004215119.tif 000004
【図３】
2004215119.tif 000005
【図４】
2004215119.tif 000006
【図５】
2004215119.tif 000007
【図６】
2004215119.tif 000008
【図７】
2004215119.tif 000009
【図８】
2004215119.tif 000010